(57)【要約】【課題】可逆的吸放湿機能を備えた除湿器を使った効率の良い使い易い乾燥庫を得る。【解決手段】可逆的吸放湿機能を備えた除湿器１０と、除湿器１０に通風する送風機１１と、除湿器１０に通す空気を昇温する加熱手段２６とを組込んだ風路１２を構成し、風路１２を経路とする出入口を持つ除湿経路と、風路１２を経路とする別の外部に連絡する出入口を持つ再生経路とを構成し、除湿経路と再生経路とを開閉ダンパ機構によって交互に通断させる除湿部２と、除湿部２の除湿経路の出入口１４，１６に連絡され、外部とは区切られた物品の出し入れ可能の乾燥室と、風路１２内に湿度センサー３１を設け、開閉ダンパ機構、加熱手段２６、送風機１１を制御する制御手段３０とを備えた乾燥庫に対し、制御手段３０により、湿度センサー３１の再生運転時の出力値と除湿運転時の出力値との差が大きい状態が複数回連続したとき、異常を表示手段に表示させる。【選択図】　　　　　図２
2004011924.tif 000002
【特許請求の範囲】
【請求項１】
空気を通す直線状の多数の通路を有し、可逆的な吸放湿機能を備え静止状態に置かれた除湿器と、この除湿器の前記通路に通風させる送風機と、前記除湿器に通す空気を昇温させ得る加熱手段とを組込んだ風路を外殻内に構成し、この風路を経路とする出入口を持つ除湿経路と、同風路を経路とする前記出入口とは別の外部に連絡する出入口を持つ再生経路とを構成し、前記除湿経路と再生経路とをモーターで動作する開閉ダンパ機構によって交互に通断させる除湿部と、この除湿部の前記除湿経路の前記出入口に連絡され、外部とは区切られた物品の出し入れ可能の乾燥室と、風路内に湿度センサーを設け、前記開閉ダンパ機構及び前記加熱手段並びに前記送風機を制御する制御手段とを備え、この制御手段により、前記湿度センサーの出力値に基づいて前記除湿経路の導通とともに前記送風機の運転による除湿運転と、前記再生経路の導通とともに前記送風機及び加熱手段の運転による再生運転とを交番させて行うようにした乾燥庫であって、前記湿度センサーを外殻内の風路の入口と前記送風機との間に設けるとともに、前記制御手段は、この湿度センサーの再生運転時の出力値と除湿運転時の出力値との差が大きい状態が複数回連続したとき、異常状態として表示手段に表示する動作を行う乾燥庫。
【請求項２】
請求項１に記載の乾燥庫であって、制御手段は、湿度センサーの再生運転時の出力値と除湿運転時の出力値との差が少ないとき、異常状態として表示手段に表示するとともに、運転を停止する動作を行う乾燥庫。
【請求項３】
請求項１又は請求項２のいずれかに記載の乾燥庫であって、制御手段は、湿度センサーの再生運転時の出力値も除湿運転時の出力値も所定の範囲に至らないとき、異常状態として表示手段に表示するとともに、運転を停止する動作を行う乾燥庫。
【請求項４】
請求項１〜請求項３までのいずれかに記載の乾燥庫であって、制御手段は、異常状態をその内容別に識別可能に表示する動作を行う乾燥庫。
【請求項５】
請求項１〜請求項４までのいずれかに記載の乾燥庫であって、除湿経路の入口と出口とを乾燥室の相対する部分に設けた乾燥庫。
【請求項６】
請求項１〜請求項５までのいずれかに記載の乾燥庫であって、制御手段に初めて通電したとき、その制御手段は、駆動する送風機、開閉ダンパ機構、加熱手段を予め設定手段によって設定した駆動モードで駆動させた後に、通常運転の設定駆動モードに移行する動作を行う乾燥庫。
【請求項７】
請求項１〜請求項６までのいずれかに記載の乾燥庫であって、制御手段は、再生運転時において開閉ダンパ機構と加熱手段を同時に駆動させた後に送風機を駆動するように動作する乾燥庫。
【請求項８】
請求項１〜請求項７までのいずれかに記載の乾燥庫であって、乾燥室を引出し式に出し入れできる外箱に収めるとともに、物品の出し入れ部を乾燥室の上面に設け、その出し入れ部に引出し方向へのスライドにより開閉できる開閉蓋を装着し、前記外箱の背面には、前記乾燥室を前記外箱に押込んだとき、前記開閉蓋に当り同開閉蓋を閉止位置にする蓋閉止部を設けた乾燥庫。
【請求項９】
請求項８に記載の乾燥庫であって、蓋閉止部を外箱の背面に庇状に乾燥室側へその幅一杯に延出させた乾燥庫。
【請求項１０】
請求項１〜請求項９までのいずれかに記載の乾燥庫であって、制御手段により、送風機、開閉ダンパ機構、加熱手段を駆動するにあたり、前記送風機の印加電圧を起動電圧より低い電圧で供給するとき、その初期において起動電圧以上の電圧を所定時間印加し、その後起動電圧より低い電圧を供給するようにした乾燥庫。
【発明の詳細な説明】
【０００１】
【発明の属する技術分野】
本発明は、物品を乾燥状態に保存するための乾燥庫に関するものである。
【０００２】
【従来の技術】
食品等を乾燥保存するための乾燥庫は大きく分けて、塩化カルシウムやペレット状のシリカゲルの乾燥剤に庫内の湿気を吸湿させて庫内を乾燥雰囲気にするものと、特開平４―１１４７１４号公報に示されているように吸着材を備えた除湿部に庫内の空気を循環させて吸着材に吸湿させて庫内を乾燥雰囲気にするものとがある。塩化カルシウムを乾燥剤に使った乾燥庫では、塩化カルシウムが吸収した湿気は塩分を含んだ水となり、この水を処理する必要があるうえ、吸湿剤の補充も必要なため、扱い難く使いにくい。また、ペレット状のシリカゲルを乾燥剤として使った乾燥庫は、水も溜まらず、一度吸湿した乾燥剤に熱を加えて放湿させることによって再生させることができるが、乾燥雰囲気の保持が難しく、庫内を乾燥雰囲気にするのに時間がかかるものである。特開平４―１１４７１４号公報に示されている乾燥庫は、可逆的な吸放湿機能を備えた吸湿材に庫内の空気を送風機により循環させて庫内を乾燥雰囲気にするため、短時間で庫内を乾燥雰囲気にすることができ、吸湿材に温風を通すことで吸湿した吸湿材を再生することができ、扱い易く使いやすい。
【０００３】
【発明が解決しようとする課題】
しかしながら、可逆的な吸放湿機能を備えた吸湿材を設置した乾燥庫においては、吸湿材の吸湿と再生とを風路の切換えによって交番させるため、庫内が頻繁に開閉されている状態にあり、こうした庫内を乾燥雰囲気に維持するために費やすエネルギーが多く効率が悪いといった問題点がある。具体的には庫内に物品を出し入れする蓋が確り締められていなかったり、風路の切換えが十分に行われない場合などである。
【０００４】
本発明は、係る従来の問題点を解決するためになされたものであって、その課題とするところは、可逆的な吸放湿機能を備えた除湿器を使った効率の良い使い易い乾燥庫を開発することである。また、その乾燥庫の生産性の向上や機能の向上を推進することも課題としている。
【０００５】
【課題を解決するための手段】
前記課題を達成するために請求項１の発明は、空気を通す直線状の多数の通路を有し、可逆的な吸放湿機能を備え静止状態に置かれた除湿器と、除湿器の通路に通風させる送風機と、除湿器に通す空気を昇温させ得る加熱手段とを組込んだ風路を外殻内に構成し、この風路を経路とする出入口を持つ除湿経路と、風路を経路とする出入口とは別の外部に連絡する出入口を持つ再生経路とを構成し、除湿経路と再生経路とをモーターで動作する開閉ダンパ機構によって交互に通断させる除湿部と、この除湿部の除湿経路の出入口に連絡され、外部とは区切られた物品の出し入れ可能の乾燥室と、風路内に湿度センサーを設け、開閉ダンパ機構及び加熱手段並びに送風機を制御する制御手段とを備え、制御手段により、湿度センサーの出力値に基づいて除湿経路の導通とともに送風機の運転による除湿運転と、再生経路の導通とともに送風機及び加熱手段の運転による再生運転とを交番させて行うようにした乾燥庫について、その湿度センサーを外殻内の風路の入口と送風機との間に設けるとともに、制御手段は、湿度センサーの再生運転時の出力値と除湿運転時の出力値との差が大きい状態が複数回連続したとき、異常状態として表示手段に表示する動作を行うようにする手段を採用する。
【０００６】
前記課題を達成するために請求項２の発明は、請求項１に係る前記手段における制御手段は、湿度センサーの再生運転時の出力値と除湿運転時の出力値との差が少ないとき、異常状態として表示手段に表示するとともに、運転を停止する動作を行うようにする手段を採用する。
【０００７】
前記課題を達成するために請求項３の発明は、請求項１又は請求項２のいずれかに係る前記手段における制御手段は、湿度センサーの再生運転時の出力値も除湿運転時の出力値も所定の範囲に至らないとき、異常状態として表示手段に表示するとともに、運転を停止する動作を行うようにする手段を採用する。
【０００８】
前記課題を達成するために請求項４の発明は、請求項１〜請求項３までのいずれかに係る前記手段における制御手段は、異常状態をその内容別に識別可能に表示する動作を行うようにする手段を採用する。
【０００９】
前記課題を達成するために請求項５の発明は、請求項１〜請求項４までのいずれかに係る前記手段における除湿経路の入口と出口とを乾燥室の相対する部分に設ける手段を採用する。
【００１０】
前記課題を達成するために請求項６の発明は、請求項１〜請求項５までのいずれかに係る前記手段における制御手段に、初めて通電したとき、送風機、開閉ダンパ機構、加熱手段を予め設定手段によって設定した駆動モードで駆動させた後に、通常運転の設定駆動モードに移行する動作を行うようにする手段を採用する。
【００１１】
前記課題を達成するために請求項７の発明は、請求項１〜請求項６までのいずれかに係る前記手段における制御手段は、再生運転時において開閉ダンパ機構と加熱手段を同時に駆動させた後に送風機を駆動するように動作するようにする手段を採用する。
【００１２】
前記課題を達成するために請求項８の発明は、請求項１〜請求項７までのいずれかに係る前記手段における乾燥室を、引出し式に出し入れできる外箱に収めるとともに、物品の出し入れ部を乾燥室の上面に設け、その出し入れ部に引出し方向へのスライドにより開閉できる開閉蓋を装着し、外箱の背面には、乾燥室を外箱に押込んだとき、開閉蓋に当り開閉蓋を閉止位置にする蓋閉止部を設ける手段を採用する。
【００１３】
前記課題を達成するために請求項９の発明は、請求項８に係る前記手段における蓋閉止部を外箱の背面に庇状に乾燥室側へその幅一杯に延出させる手段を採用する。
【００１４】
前記課題を達成するために請求項１０の発明は、請求項１〜請求項９までのいずれかに係る前記手段における制御手段によって、送風機、開閉ダンパ機構、加熱手段を駆動するにあたり、送風機の印加電圧を起動電圧より低い電圧で供給するとき、その初期において起動電圧以上の電圧を所定時間印加し、その後起動電圧より低い電圧を供給するようにする手段を採用する。
【００１５】
【発明の実施の形態】
実施の形態１．
図１〜図１４によって示す本実施の形態は、食品等の物品を乾燥保存するための乾燥庫に関するものである。この乾燥庫は、乾燥室１と乾燥室１の空気を乾燥雰囲気に加工する除湿部２とから構成されている。乾燥室１は、前面の開放した外箱３に抜き差しできる引出し式の密閉箱構造として構成され、上部に回動やスライドにより開閉できる開閉蓋４が装着されている（図１，図３参照）。上部での開放は、乾燥室１への物品の出し入れがし易く使いやすい。乾燥室１の前面は、図１に示すように外方へ張出しの有る前パネル５で構成され、上部の張出し部分の左右に一つずつ開口部６が設けられている。外箱３には乾燥室１を差込んだ状態で、乾燥室１の開閉蓋４と差込み部分の天板との間に前後方向に続く二列の通風路７が天板の中央に設けられた隔壁８により画成される（図３，図４参照）。この二列の通風路７はそれぞれ乾燥室１の前パネル５の二個の開口部６にそれぞれ連絡するようになっている。
【００１６】
除湿部２は、吸着除湿装置によって構成され外箱３内における乾燥室１の背後に設けられている。吸着除湿装置は、空気を通す直線状の多数の通路９を持ち、可逆的な吸放湿機能を備えた静止状態におかれた除湿器１０と、除湿器１０の通路９に通風させる送風機１１と、除湿器１０に通す空気を昇温させ得る加熱手段とを直列状に組込んだ風路１２を、六面体の外殻１３内に構成したものである（図２参照）。吸着除湿装置の風路１２の入口１４，１５と出口１６，１７はそれぞれ隣接する外殻１３の二面に対形態に開口されている。外殻１３内には一方の入口１４から風路１２を経て一方の出口１６に至る除湿経路と、他方の入口１５から風路１２を経て他方の出口１７に至る再生経路と、バイパス１８が設けられている。バイパス１８は、再生経路における除湿器１０及び加熱手段を迂回する経路として構成され、その出口１９は、再生経路の出口１７近傍に出口１７と同じ向きに開口されている。
【００１７】
除湿経路と再生経路の各入口１４，１５と各出口１６，１７並びにバイパス１８の出口１９には、それぞれその口縁に気密保持部材が装着されていて、一つの開閉ダンパ機構によって開閉される。開閉ダンパ機構は、ステッピングモーター２０の回転軸上に、入口開閉ブレード２１と出口開閉ブレード２２とバイパス開閉ブレード２３を一列に並べて取付けた構成で、再生経路を開通させたときには、バイパス１８を開通させ、除湿経路は遮断する。
【００１８】
除湿経路の入口１４と出口１６は共に乾燥室１に気密を保持した状態に連絡され、再生経路の入口１５と出口１７は、外箱３の二列の通風路７にそれぞれ連絡され、乾燥室１の前パネル５の各開口部６を通じてそれぞれ庫外に連絡している。
【００１９】
除湿器１０は、セラミックス等の無機質繊維にシリカゲル等の吸湿剤を重合反応を利用して、結合させたコルゲート構造材やハニカム構造材を積層して、被処理空気を通す直線状の多数の通路９が全体にわたって分布する直方体状に構成したものである。各通路９は平行状でそれらの開口端は全て除湿器１０の対向する二面に開口している。
【００２０】
加熱手段は、図５に示すように等間隔に開けられた矩形の通風孔２４を有する放熱板２５に、電気絶縁性と耐熱性のあるプラスチック皮膜を施した熱効率の良いコードヒーター２６に通断電手段としての温度ヒューズとサーモスタットを設けて密着させた安全構造が採られ、除湿器１０の前段において風路１２を横断する状態に組付けられている。なお、コードヒーター２６に代えて正特性サーミスターを用いても良い。除湿器１０と外殻１３との間には断熱空気層又は多泡性の断熱樹脂の断熱構造２９が設けられ、再生時に効率よく除湿器１０を加熱するようになっている。
【００２１】
コードヒーター２６及び送風機１１並びにステッピングモーター２０は、除湿部２に組込まれたマイクロコンピューターを搭載した制御手段３０によりそれぞれその運転が制御される。制御手段３０には、図６に示すように除湿部２の除湿経路と再生経路の各入口１４，１５と送風機１１との間に設けられた湿度センサー３１が入力側に接続され、出力側にはヒーター駆動回路３２と、モーター駆動回路３３と、送風機駆動回路３４のほか設定手段３５や運転表示手段３６が接続されている。湿度センサー３１をこの位置に配備させることで、乾燥室１と庫外の空気の湿度を共に検出することができる。
【００２２】
この乾燥庫は、開閉ダンパ機構によって除湿経路と再生経路を交互に開閉させ、除湿器１０に除湿過程と再生過程とを交番させることにより乾燥室１内を乾燥雰囲気にすることができる。乾燥室１内を除湿する除湿運転は、ステッピングモーター２０を回転させ、再生経路の入口１５及び出口１７並びにバイパス１８の出口１９を、入口開閉ブレード２１及び出口開閉ブレード２２並びにバイパス開閉ブレード２３によって閉止しておいて、送風機１１を運転させることにより常温下で行われる。即ち、開放された除湿経路により乾燥室１内に循環気流が形成され、除湿器１０を通過するたびに湿気が分子状態で除湿器１０に吸着され、乾燥室１内は迅速に乾燥雰囲気になる。
【００２３】
水の分子を吸着するにつれ除湿器１０の吸着能は低下するので、除湿器１０を再生過程において再生させる再生運転が行われる。除湿器１０の再生は、ステッピングモーター２０を回転させ、除湿経路の入口１４及び出口１６を、入口開閉ブレード２１及び出口開閉ブレード２２によって閉止し、バイパス１８の出口１９を開放させ、送風機１１を運転させ、コードヒーター２６に通電させることにより１４０℃ほどの高温下で行われる。即ち、開放された再生経路により庫外の空気が前パネル５の開口部６を経て入口１５から吸込まれ、放熱板２５を通過することにより加熱され除湿器１０の通路９を通ることで除湿器１０の水分子が放出される。吸込まれた庫外の空気の一部は、放熱板２５を通過せずにバイパス１８に流れ、出口１９から流れ出て再生経路に合流して出口１７から外箱３の通風路７を通って乾燥室１の前パネル５の開口部６から庫外へ排出される。除湿器１０を再生した空気は高温多湿であるが、バイパス１８を流れてくる常温の空気と混合するため、庫外へ排出される空気の温度は低くなっている。これにより、再生時に台所等設置場所の室内雰囲気の阻害が抑制される。
【００２４】
こうして再生された除湿器１０に除湿経路を開けて乾燥室１内の空気を通すことにより、再び乾燥室１内の湿気を吸着し、乾燥室１内を乾燥雰囲気にすることができる。除湿器１０と外殻１３との間は断熱空気層又は多泡性の断熱樹脂による断熱構造２９となっているので周囲への放熱は少なく加熱効率は良い。
【００２５】
制御手段３０は、図７のフローチャートで示す制御シーケンスに従って除湿運転と再生運転とを交番させ乾燥運転を行う。即ち、電源の投入とともに制御手段３０は、図７のフローチャートにおけるステップ♯１で湿度センサー３１の出力値Ｄの読込みを行い、出力値Ｄが予め決められた所定値の範囲にあるか否かを判定する。出力値Ｄが所定値の範囲内にあれば、ステップ♯２へ進み、範囲外であれば、ステップ♯１５へ進む。ステップ♯２では、湿度センサー３１の出力値Ｄが設定手段３５によって予め設定された設定値Ｄ０以上かどうかを判定する。ここでＤ０は、略３０％の湿度に対する値である。Ｄ≧Ｄ０であればステップ♯３へ進み、そうでなければステップ♯１の処理に戻る。ステップ♯３では再生運転を開始する処理とともにマイクロコンピューターのプログラムで構成された再生タイマー３７のカウントを開始する処理をして、ステップ♯４へ進む。ステップ♯４では所定時間Ｔ１が経過したかどうかを判定し、経過したらステップ♯５へ進み、経過していなければステップ♯４の処理を繰返す。
【００２６】
ステップ♯５ではコードヒーター２６をオフする処理をしてステップ♯６へ進む。ステップ♯６では湿度センサー３１のＤ６を検出し、また所定時間Ｔ２が経過したかどうかを判定し、経過していればステップ♯７で送風機１１を停止する処理をしてステップ♯８へ進み、経過していなければステップ♯６の処理を繰返す。ステップ♯８では除湿運転を開始する処理とともにマイクロコンピューターのプログラムで構成された除湿タイマー３８のカウントを開始する処理をしてステップ♯９へ進む。ステップ♯９では湿度センサー３１の出力値Ｄ９を検出し、Ｄ９≦Ｄ０の条件を満たすか否かを判定する。Ｄ９≦Ｄ０の条件を満たしていればステップ♯１へ戻り、満たして居ない場合にはステップ♯１０へ進む。
【００２７】
ステップ♯１０では、所定時間Ｔ３が経過したかどうかを判定し、経過していればステップ♯１１へ進み、湿度センサー３１の出力値Ｄ１１を検出する処理を行う。所定時間Ｔ３が経過していなければステップ♯９へ戻る。ステップ♯１２では、ステップ♯６での出力値Ｄ６と出力値Ｄ１１とを比較し、その差が大きければステップ♯１３へ進み、大きくなければステップ♯１５へ進む。ステップ♯１３では、カウンターのカウントを開始する処理を行い、ステップ♯１４へ進み、カウンターのカウント数Ｎが例えば５回か否かを判定する。カウント数Ｎが５回であれば、ステップ♯１７で、異常表示を運転表示手段３６に表示する処理をしてステップ♯３へ戻る。カウント数Ｎが５回未満であればステップ♯３の処理に戻る。ステップ♯１２で出力値Ｄ１１と出力値Ｄ６との差が殆ど無い場合には、ステップ♯１５で送風機１１を停止し、ステップ♯１６で運転表示手段３６に運転停止を表示して運転を停止する。また、ステップ♯１２で出力値Ｄ１１と出力値Ｄ６との差が大きくもなく殆ど無いでもない場合には、ステップ♯３へ戻る。
【００２８】
正常な運転状態では、湿度センサー３１の出力値は、図８に示すように移行する。ステップ♯１において湿度センサー３１自体の故障や異常が判定され。異常と判定されれば、そして、湿度センサー３１の再生運転時の出力値と除湿運転時の出力値との差が少ない図９に示すようなときにも、除湿器１０又は、コードヒーター２６又は、風路１２の異常として、ステップ♯１６により異常表示が行われる。さらに、湿度センサー３１の再生運転時の出力値と除湿運転時の出力値との差が大きい状態が、図１０に示すように複数回、例えば５回連続したときは、乾燥室１の開閉蓋４が開いたままになっているか、乾燥室１の気密が保持されていないとして、ステップ♯１７で異常表示し、ステップ♯３へ戻る。
【００２９】
運転表示手段３６は図１１に示すように、通電を表示する通電表示ランプ４０と、低湿表示ランプ４１と中湿表示ランプ４２と高湿表示ランプ４３が配設されている。湿度センサー３１のステップ♯６での出力値Ｄ６とステップ♯９での出力値Ｄ９との比較により差が大きい（この時の乾燥室１内の湿度変化を図１０に示す）状態が、例えば５回続いたときに異常１となり、図１１に示すように通電表示ランプ４０の点滅によって表示され、除湿器１０又は、コードヒーター２６の異常２は、ステップ♯６での出力値Ｄ６とステップ♯９での出力値Ｄ９との比較により差が小さいとき（例えば、相対湿度に対して３％以下）に図９に示す乾燥室１の湿度変化があったとき、通電表示ランプ４０と低湿表示ランプ４１の双方の点滅によって表示さる。異常３は、湿度センサー３１の異常で、ステップ♯１で湿度センサー３１の出力値Ｄを読込み、出力値Ｄが予め決められた所定の範囲内にない場合、通電表示ランプ４０、低湿表示ランプ４１、中湿表示ランプ４２、高湿表示ランプ４３の点滅によって表示される。これにより、利用者は、異常の内容を認識でき、修理等、事後処理を迅速に行うことができる。
【００３０】
なお、図１２、図１３、図１４に示すように乾燥室１の前部に除湿部２を配備させてもよい。この場合、図１４に示すように除湿経路の入口１４にダクト３９を接続し、実質的な乾燥室１への入口を乾燥室１の後部側にし、出口１６と対角状に対向させるようにすることにより、乾燥室１内を均一に乾燥空気が循環し、物品が一杯詰まった状態でも乾燥雰囲気の生成が効果的に行われる。
【００３１】
再生運転と除湿運転の交番においては、開閉ダンパ機構により再生経路と除湿経路の切換えが行われるが、このとき制御手段３０は、モーター駆動回路３３を介してステッピングモーター２０の動作角度を、外殻１３の形状から決定される各出入口を閉止する角度より７．５度程度大きくなるように制御する。これにより、除湿経路と再生経路の各入口１４，１５及び出口１６，１７並びにバイパス１８の出口１９は、閉止時においては入口開閉ブレード２１及び出口開閉ブレード２２ならびにバイパス開閉ブレード２３が気密保持部材を押圧する状態になり、高気密状態で閉止される。この部分の気密の良し悪しは、乾燥庫の効率を大きく左右するものであり、気密が悪いと庫内の乾燥雰囲気の形成も保持もできにくくなる。
【００３２】
除湿器１０の吸湿能力は温度に影響され、温度が低い程吸湿能力が高い特性を有するが、その水分子を吸着する力は、吸湿材と水分子との引合う力である。そして、除湿器１０の常温での水分子を吸着する容量はその質量の約１０％である。しかしながら、一つの除湿器１０に対して通風とともに除湿と再生とを交番させることによって乾燥室１内を乾燥雰囲気にする場合には、除湿器１０が飽和状態になるまで吸湿することは事実上なく、飽和状態近くまで吸湿させてから再生に移行したのでは、時間がかかり除湿効率は極めて悪くなる。本実施の形態では、効率改善策としてステップ♯１０における所定時間Ｔ３を、除湿器１０の質量の約５％を占める水分子を吸着できる時間として設定している。例えば、除湿器１０の質量が３０ｇであれば、所定時間Ｔ３は１５分に設定する。これにより、除湿器１０が最も効果的に吸湿するときに除湿運転を行い効率良く除湿器１０に吸湿させることができる。
【００３３】
除湿器１０の再生は、吸着した水分子を熱によって切離し、送風によって搬出することであり、吸着された水分子は熱によって激しく運動し、吸湿材から離脱する。このとき例えば、空気温度８０℃の水分子の除湿器１０における吸着量は、除湿器１０の質量の約１％程である。除湿器１０の水分子が殆ど完全になくなるまで再生運転をさせるのでは、時間がかかり再生効率は極めて悪くなる。本実施の形態では、再生運転の効率改善策として、ステップ♯４における再生タイマー３７による所定時間Ｔ１を除湿運転の時間Ｔ３の半分の時間Ｔ３／２に設定し、除湿器１０が最も効果的に放湿するときに再生運転を行い効率良く除湿器１０の再生を行うようにしている。
【００３４】
実施の形態２．
図１５と図１６によって示す本実施の形態は、実施の形態１で示した乾燥庫の制御手段３０の制御シーケンスに関するものであり、これ以外の構成は、実施の形態１のものと同じである。従って、実施の形態１のものと同じ部分については、実施の形態１のものと同じ符号を用い、それらについての説明は省略する。
【００３５】
本実施の形態の乾燥庫の制御手段３０は、図１５に制御シーケンスのフローチャートを示すように、実施の形態１の制御手段３０の制御動作を示した図７のフローチャートのステップ♯１の前にステップ♯０が挿入されている。ステップ♯０で、制御手段３０に始めて通電したとき、設定手段３５により予め設定されたシーケンス短縮処理を行う。再生運転と除湿運転の１サイクルが例えば、図１６に示すように約３０分かかるとき、シーケンス短縮処理で１サイクルを約９０秒に短縮する。この後、通常の運転モード、即ち、ステップ♯１に移行する。
これにより、乾燥庫が正常に機能するかどうかの確認を極、短い時間で行うことができ、生産性が向上する。送風機１１、ステッピングモーター２０、コードヒーター２６への通電及び正常動作を確認する場合には、制御手段３０を設定するためのスイッチ等の設定手段が複雑になり、コストアップを招くことになる。
【００３６】
また、この制御手段３０は、図１６のタイムチャートで示すように、ステッピングモーター２０への駆動と同時にコードヒーター２６に通電し、その後に送風機１１を駆動するよう制御する。これにより、コードヒーター２６の表面温度を上昇させ、空気温度をより高くして除湿器１０に通すことができ、除湿器１０から放出される水分子をより多くし、効率を上げることができる。
【００３７】
さらに、送風機１１に加わる電圧Ｖ２が、送風機１１の起動に必要な起動電圧Ｖ０よりも低いため、電圧Ｖ２を直接印加しても送風機１１は、運転できない。制御手段３０は、起動電圧Ｖ０よりも高い電圧Ｖ１を印加する初期に１０秒間程度加え送風機１１を起動させた後に電圧Ｖ２を印加する。送風機１１による送風量が、再生運転時と除湿運転時とでは異なるため、送風機１１に印加する電圧をそれぞれＶ２、Ｖ１として印加するが、Ｖ２は送風機１１の起動電圧Ｖ０より低いため、所定時間Ｖ２印加の前にＶ１を加える。本来、起動電圧Ｖ０より高い電圧にＶ２を設定すべきであるが、送風機１１の羽根径及び除湿部２の風路１２を大幅に変更する必要があり、コストアップにつながったり、標準仕様から外れたりする。これらを回避して、低コスト化が実現する。これ以外の機能は、実施の形態１のものと同じである。
【００３８】
実施の形態３．
図１７〜図１９によって示す本実施の形態は、実施の形態１や実施の形態２で示した乾燥庫の外箱３をキャビネット型に構成したものであり、これ以外の基本的構成は、実施の形態１や実施の形態２のものと同じである。従って、それらのものと同じ部分については、実施の形態１や実施の形態２のものと同じ符号を用い、その説明は省略する。
【００３９】
本実施の形態の乾燥庫は、乾燥室１及び除湿部２並びに前パネル５が一体化され外箱３に対して引出し機能を備えている。乾燥室１にはその上部に引出し方向へのスライドで開閉できる開閉蓋４が装着されている。乾燥室１の上段には引出し式の収納部４４が数段構成されている。外箱３の背面には、乾燥室１を外箱３に押込んだとき、開閉蓋４の後端に当り開閉蓋４を自動的に閉止位置にする蓋閉止部４５が延出されている。蓋閉止部４５は、外箱３の背面に庇状に乾燥室１側へ延出し、乾燥室１の幅一杯に設けられている。これによって、乾燥室１の開閉蓋４の閉止を忘れたりすることがなく、また、上段の収納部４４から器物が落下しても蓋閉止部４５で止まるため乾燥室１の電源コード４６等を破損したりすることを防止することができる。これ以外の機能は実施の形態１や実施の形態２のものと同じである。
【００４０】
【発明の効果】
請求項１〜請求項３までの発明によれば、可逆的な吸放湿機能を備えた除湿器を使った効率の良い使い易い乾燥庫が得られ、異常時にも対応できる。
【００４１】
請求項４の発明によれば、請求項１〜請求項３までのいずれかに係る前記効果とともに異常状態をその内容別に識別可能に表示するため、修理等の事後処理を迅速に行うことができる。
【００４２】
請求項５の発明によれば、請求項１〜請求項４までのいずれかに係る前記効果とともに乾燥室内を効果的に乾燥空気を循環させることができ、効率アップを図ることができる。
【００４３】
請求項６の発明によれば、請求項１〜請求項５までのいずれかに係る前記効果とともに、初期の動作確認を短時間で行うことができ、生産性が向上する。
【００４４】
請求項７の発明によれば、請求項１〜請求項６までのいずれかに係る前記効果とともに加熱手段の表面温度を迅速に上げることができ、効率アップを図ることができる。
【００４５】
請求項８の発明によれば、請求項１〜請求項７までのいずれかに係る前記効果とともに開閉蓋の閉め忘れを無くすことができる。
【００４６】
請求項９の発明によれば、請求項８に係る前記効果とともに落下物の乾燥室側への落下を規制することができる。
【００４７】
請求項１０の発明によれば、請求項１〜請求項９までのいずれかに係る前記効果とともに標準仕様で対応でき、低コスト化が実現する。
【図面の簡単な説明】
【図１】実施の形態１の乾燥庫の要部を示す斜視図である。
【図２】実施の形態１の乾燥庫の除湿部の構成を示す断面図である。
【図３】実施の形態１の乾燥庫の要部を示す縦断側面図である。
【図４】実施の形態１の乾燥庫の要部を示す正面図である。
【図５】実施の形態１の乾燥庫の加熱手段の一部を示す正面側斜視図である。
【図６】実施の形態１の乾燥庫の制御系のブロック構成図である。
【図７】実施の形態１の乾燥庫の制御手段の制御動作を示すフローチャートである。
【図８】実施の形態１の乾燥庫の正常時の乾燥室内の湿度変化を示す説明図である。
【図９】実施の形態１の乾燥庫の異常時の乾燥室内の湿度変化を示す説明図である。
【図１０】実施の形態１の乾燥庫の異常時の乾燥室内の湿度変化を示す説明図である。
【図１１】実施の形態１の乾燥庫の運転表示手段とその表示内容を示す説明図である。
【図１２】実施の形態１の他の乾燥庫を示す斜視図である。
【図１３】実施の形態１の他の乾燥庫を示す斜視図である。
【図１４】実施の形態１の他の乾燥庫を示す斜視図である。
【図１５】実施の形態２の乾燥庫の制御手段の制御動作を示すフローチャートである。
【図１６】実施の形態２の乾燥庫の制御手段の制御動作を示すタイムチャートである。
【図１７】実施の形態３の乾燥庫の要部を示す縦断側面図である。
【図１８】実施の形態３の乾燥庫の開閉蓋を開放した状態で示す要部縦断側面図である。
【図１９】実施の形態３の乾燥庫の要部を拡大して示す斜視図である。
【符号の説明】
１　乾燥室、　２　除湿部、　３　外箱、　１０　除湿器、　１１　送風機、１２　風路、　１３　外殻、　１４，１５　入口、　１６，１７　出口、　２０　ステッピングモーター、　２１　入口開閉ブレード、　２２　出口開閉ブレード、　２６　コードヒーター、　３０　制御手段、　３１　湿度センサー、　３５　設定手段、　３６　運転表示手段、　４５　蓋閉止部。
【図１】
2004011924.tif 000003
【図２】
2004011924.tif 000004
【図３】
2004011924.tif 000005
【図４】
2004011924.tif 000006
【図５】
2004011924.tif 000007
【図６】
2004011924.tif 000008
【図７】
2004011924.tif 000009
【図８】
2004011924.tif 000010
【図９】
2004011924.tif 000011
【図１０】
2004011924.tif 000012
【図１１】
2004011924.tif 000013
【図１２】
2004011924.tif 000014
【図１３】
2004011924.tif 000015
【図１４】
2004011924.tif 000016
【図１５】
2004011924.tif 000017
【図１６】
2004011924.tif 000018
【図１７】
2004011924.tif 000019
【図１８】
2004011924.tif 000020
【図１９】
2004011924.tif 000021